(57)【要約】【課題】操作性を向上させ、取引時間を短縮させる。【解決手段】非接触で通信を行う非接触ＩＣを有し、かつ、取引情報を表示する表示部を有する顧客情報記録媒体を用いて取引可能な媒体通信システムにおいて、前記非接触ＩＣと通信を行う非接触通信手段と、前記表示部に表示された取引情報を読み取る取引情報読み取り手段と、前記顧客情報記録媒体を戴置可能に設けられたかざし台とを有し、前記かざし台に戴置された前記顧客情報記録媒体の前記非接触ＩＣと前記非接触通信手段とが通信し、かつ、前記取引情報を前記取引情報読み取り手段が読み取る。【選択図】        図１
2014194627.tif 000002
【特許請求の範囲】
【請求項１】
非接触で通信を行う非接触ＩＣを有し、かつ、取引情報を表示する表示部を有する顧客情報記録媒体を用いて取引可能な媒体通信システムにおいて、
前記非接触ＩＣと通信を行う非接触通信手段と、
前記表示部に表示された取引情報を読み取る取引情報読み取り手段と、
前記顧客情報記録媒体を戴置可能に設けられたかざし台とを有し、
前記かざし台に戴置された前記顧客情報記録媒体の前記非接触ＩＣと前記非接触通信手段とが通信し、かつ、前記取引情報を前記取引情報読み取り手段が読み取ることを特徴とする媒体通信システム。
【請求項２】
請求項１に記載の媒体通信システムにおいて、
紙幣の入金および出金を行う紙幣入出金部と、
前記紙幣入出金部を開閉するシャッタと、
前記かざし台の前記紙幣入出金部側の端部に配置した突き出し可能な紙幣入出金部側媒体落下防止部とを有し、
前記かざし台は前記紙幣入出金部の近傍に存在し、前記紙幣入出金部のシャッタが開くときに、前記紙幣入出金部側媒体落下防止部が突き出ることを特徴とする媒体通信システム。
【請求項３】
請求項１または２に記載の媒体通信システムにおいて、
顧客の操作を受け付け、かつ、案内を表示する操作表示部と、
前記かざし台の前記操作表示部側の端部に配置した突き出し可能な操作表示部側媒体落下防止部とを有し、
前記かざし台は前記操作表示部側の近傍に存在し、前記紙幣入出金部のシャッタが開くときに、前記紙幣入出金部側媒体落下防止部と連動して前記操作表示部側媒体落下防止部が突き出ることを特徴とする媒体通信システム。
【請求項４】
請求項１乃至３に記載の媒体通信システムにおいて、
硬貨の入金および出金を行う硬貨入出金部と、
前記かざし台の前記硬貨入出金部側の端部に配置した突き出し可能な硬貨入出金部側媒体落下防止部とを有し、
前記かざし台は前記硬貨入出金部の近傍に存在し、前記紙幣入出金部のシャッタが開くときに、前記紙幣入出金部側媒体落下防止部と連動して前記硬貨入出金部側媒体落下防止部が突き出ることを特徴とする媒体通信システム。
【請求項５】
請求項４に記載の媒体通信システムにおいて、
前記紙幣入出金部側媒体落下防止部、前記操作表示部側媒体落下防止部および前記硬貨入出金部側媒体落下防止部をそれぞれ制御することを特徴とする媒体通信システム。
【請求項６】
請求項１に記載の媒体通信システムにおいて、
前記かざし台に前記顧客情報記録媒体を戴置する際に、前記かざし台が水平になることを特徴とする媒体通信システム。
【請求項７】
請求項１に記載の媒体通信システムにおいて、
前記かざし台に前記顧客情報記録媒体を戴置する際に、前記かざし台の中央部が落ち窪み、落ち窪んだ中央部が水平となることを特徴とする媒体通信システム。
【請求項８】
請求項１から請求項７のいずれか１項に記載の媒体通信システムにおいて、
前記紙幣入出金部の近傍に配置され、紙幣以外の異物を検知するセンサを有し、
前記センサは、前記紙幣入出金部に落下した異物を監視することを特徴とする媒体通信システム。
【請求項９】
請求項１から請求項８のいずれか１項に記載媒体通信システムを備えることを特徴とする自動取引装置。
【発明の詳細な説明】
【技術分野】
【０００１】
本発明は、非接触ＩＣおよび２次元コードを用いた媒体通信システムおよび媒体通信システムを用いた自動取引装置に関する。
【背景技術】
【０００２】
従来の技術は、自動取引装置において、金融取引を行うときに、例えば顧客が保有する携帯端末およびカードに搭載された非接触ＩＣ（Ｉｎｔｅｇｒａｔｅｄ  Ｃｉｒｃｕｉｔ）と通信を行う非接触ＩＣユニット（非接触ＩＣリーダライタ）を用いるものがある（例えば、特許文献１参照）。
【先行技術文献】
【特許文献】
【０００３】
【特許文献１】特開２００８−１２９８９０号公報
【発明の概要】
【発明が解決しようとする課題】
【０００４】
しかしながら、従来の技術において、自動取引装置が非接触ＩＣユニットに加えて２次元コードリーダを備える場合、非接触ＩＣを搭載し、かつ、２次元コードを表示可能な顧客情報記録媒体としての携帯端末を用いた取引のときに、自動取引装置の非接触ＩＣユニットが携帯端末の非接触ＩＣと通信する位置と、自動取引装置の２次元コードリーダが携帯端末の画面に表示された２次元コードを読み取る位置とが異なり、別々の位置に携帯端末を戴置しなければならないため、操作に手間がかかり、取引時間が長くなるという問題がある。
本発明は、このような問題を解決することを課題とし、操作性を向上させ、取引時間を短縮させることを目的とする。
【課題を解決するための手段】
【０００５】
そのため、本発明は、非接触で通信を行う非接触ＩＣを有し、かつ、取引情報を表示する表示部を有する顧客情報記録媒体を用いて取引可能な媒体通信システムにおいて、前記非接触ＩＣと通信を行う非接触通信手段と、前記表示部に表示された取引情報を読み取る取引情報読み取り手段と、前記顧客情報記録媒体を戴置可能に設けられたかざし台とを有し、前記かざし台に戴置された前記顧客情報記録媒体の前記非接触ＩＣと前記非接触通信手段とが通信し、かつ、前記取引情報を前記取引情報読み取り手段が読み取ることを特徴とする。
【発明の効果】
【０００６】
このようにした本発明は、操作性を向上させ、取引時間を短縮させることができるという効果が得られる。
【図面の簡単な説明】
【０００７】
【図１】第１の実施例における自動取引装置の媒体通信システムのブロック図
【図２】第１の実施例における自動取引装置の外観図
【図３】第１の実施例における自動取引装置の支払い処理の流れを示すフローチャート
【図４】第１の実施例における顧客情報記録媒体をかざし台に置く案内を行う画面の説明図
【図５】第１の実施例における振込情報および支払い方法の案内を行う画面の説明図
【図６】第１の実施例における顧客情報記録媒体をかざし台に置いたままの状態とする案内を行う画面の説明図
【図７】第２の実施例におけるかざし台のガイドの形状の説明図
【図８】第２の実施例における自動取引装置の媒体通信システムのブロック図
【図９】第２の実施例における自動取引装置の取引処理の流れを示すフローチャート
【図１０】第２の実施例における顧客情報記録媒体をかざし台に置く案内を行う画面の説明図
【図１１】第２の実施例における顧客情報記録媒体の受け取り確認を行う画面の説明図
【図１２】第３の実施例におけるかざし台のガイドの形状の説明図
【図１３】第３の実施例における自動取引装置の媒体通信システムのブロック図
【図１４】第４の実施例におけるかざし台のガイドの形状の説明図
【図１５】第４の実施例における自動取引装置の媒体通信システムのブロック図
【図１６】第５の実施例における自動取引装置の外観図
【図１７】第５の実施例におけるかざし台近傍の外観図
【図１８】第５の実施例におけるかざし台近傍の断面図
【図１９】第５の実施例における自動取引装置の支払い処理の流れを示すフローチャート
【図２０】第６の実施例におけるかざし台近傍の外観図
【図２１】第７の実施例における自動取引装置の媒体通信システムのブロック図
【図２２】第７の実施例における紙幣入出金部の断面図
【図２３】第７の実施例における紙幣入出金部の断面図
【図２４】第７の実施例における自動取引装置の取引処理の流れを示すフローチャート
【図２５】第７の実施例における紙幣入出金部の異物除去の案内を行う画面の説明図
【発明を実施するための形態】
【０００８】
以下、図面を参照して本発明による媒体通信システムおよび自動取引装置の実施例を説明する。
【実施例１】
【０００９】
図２は、第１の実施例における自動取引装置の外観図である。
図２において、自動取引装置１は、ＣＲ（Ｃｏｄｅ  Ｒｅａｄｅｒ）２と、かざし台５と、紙幣入出金部６と、カード取扱部７と、通帳取扱部８と、硬貨入出金部９と、操作表示部１０と、返却口１１とから構成されている。
自動取引装置１は、例えば、銀行、信用金庫、郵便局等の金融機関に配設されたＡＴＭ（Ａｕｔｏｍａｔｉｃ  Ｔｅｌｌｅｒ  Ｍａｃｈｉｎｅ）等であって、金融機関の顧客が自ら操作して入金、出金、通帳記帳、残高照会、振込、振替、送金等の金融サービスを利用するための装置である。なお、本実施例での顧客とは、金融機関に自己の口座を開設し、金融サービスを利用する者である。
【００１０】
また、本実施例における顧客情報記録媒体としての携帯端末（携帯電話）は、非接触ＩＣを搭載し、かつ、取引情報としての２次元コードを表示する画面（表示部）を有するものとする。なお、非接触ＩＣは、いわゆる電子マネーの取引に用いられ、後述する非接触ＩＣユニット３との無線による通信でチャージ（入金）や支払い（出金）等の処理をすることができるものである。
かざし台５は、携帯端末が戴置される台である。携帯端末がかざし台５に戴置されることで、携帯端末の非接触ＩＣは、自動取引装置１の内部に配置された非接触ＩＣユニット３と通信可能となる。また、携帯端末の画面に表示した２次元コードは、ＣＲ２によって読み取られる。なお、ＣＲ２の詳細については後述する。
【００１１】
紙幣入出金部６および硬貨入出金部９は、入金取引では顧客が入金した紙幣および硬貨を受け取り、出金取引では顧客に紙幣および硬貨を払い出すものであり、それぞれシャッタが配設されている。
カード取扱部７は、顧客によりキャッシュカード等の磁気カードが挿入されると、磁気カードの情報を読み取り、排出する機能を有するものである。
【００１２】
通帳取扱部８は、顧客により通帳が挿入されると、通帳に記帳を行い、排出する機能を有するものである。
操作表示部１０は、タッチパネル等の入力装置の機能を併せ持つ表示装置であり、顧客に対する操作誘導（案内表示）を行い、また、顧客の操作を受け付けるものである。
返却口１１は、紙幣入出金部６および硬貨入出金部９に混入したクリップ等の小さい異物を排出するものである。
【００１３】
図１は、第１の実施例における自動取引装置の媒体通信システムのブロック図であり、自動取引装置１の断面に見立てた外形に基づいて、携帯端末を戴置するかざし台５および携帯端末と通信を行う媒体通信システムの各部位を配置したものである。
図１において、媒体通信システムは、ＣＲ２と、非接触ＩＣユニット３と、ＣＲ２および非接触ＩＣユニット３にそれぞれ接続されている主制御部４とから構成されており、顧客の携帯端末の画面に表示された２次元コードを読み取り、かつ、携帯端末に搭載された非接触ＩＣと通信をするものである。
【００１４】
取引情報読み取り手段としてのＣＲ２は、かざし台５に戴置された携帯端末の画面の２次元コードを、図中矢印Ａに示す方向にレーザ等の光を照射して読み取るものである。
なお、携帯端末の画面に表示した２次元コードは、振込先や振込金額等の取引情報を２次元コード化したものである。よって、ＣＲ２が２次元コードを読み取ることで、取引の情報入力操作は簡略化できる。
非接触通信手段としての非接触ＩＣユニット３は、かざし台５の直下（自動取引装置１の内部）に配置されており、携帯端末がかざし台５に戴置されることで携帯端末の非接触ＩＣと近接し、無線によって非接触ＩＣと通信を行うことができるものである。
【００１５】
主制御部４は、ＣＰＵ（Ｃｅｎｔｒａｌ  Ｐｒｏｃｅｓｓｉｎｇ  Ｕｎｉｔ）等の演算手段、半導体メモリや磁気ディスク等の記憶手段、通信手段等により構成され、記憶手段に格納されている制御プログラム（ソフトウェア）に基づいて、自動取引装置１の各部の制御を行う。
また、主制御部４は、ネットワークを介して金融機関のコンピュータセンタ等に配設されたホストコンピュータと通信可能に接続されている。なお、本実施例でのネットワークとは、有線又は無線の公衆通信回線網、専用通信回線網等いかなる通信回線網であってもよく、これらを適宜組み合わせたものであっても良い。
【００１６】
上述した構成の作用について説明する。
自動取引装置１が行う支払い処理を図３の第１の実施例における自動取引装置の支払い処理の流れを示すフローチャートの図中Ｓで示すステップにしたがって図１および図２を参照しながら説明する。
Ｓ１０１：主制御部４は、取引を行う際の初期画面を操作表示部１０に表示させる。顧客により取引の種類が選択されると、主制御部４は処理をＳ１０２に移行する。
【００１７】
Ｓ１０２：主制御部４は、選択された取引の種類の情報に基づいてＣＲ２を用いる取引か否かを判定し、ＣＲ２を用いる取引であると判定すると処理をＳ１０４に移行し、ＣＲ２を用いない取引であると判定すると処理をＳ１０３に移行する。
Ｓ１０３：ＣＲ２を用いない取引であると判定した主制御部４は、ＣＲ２を用いない取引を実行し、本処理を終了する。
【００１８】
Ｓ１０４：ＣＲ２を用いる取引であると判定した主制御部４は、顧客へ携帯端末の画面に支払い内容の情報である２次元コードを表示させるように案内をする。
Ｓ１０５：主制御部４は、図４に示すような画面を操作表示部１０に表示させ、２次元コードを表示させた携帯端末をかざし台５に戴置するように顧客へ案内をする。
携帯端末の画面に表示させた２次元コードの読み取りは、「確認ボタン」を操作表示部１０の画面上に表示させ、「確認ボタン」を顧客が押下することで２次元コードの読み取りを開始する。
【００１９】
なお、２次元コードの読み取りは、一定時間かざし台５に２次元コードが表示された携帯端末が戴置されたことを検知して自動で開始するとしても良い。また、図４に示す操作表示部１０の画面上に２次元コード読み取り状態確認画面を設け、かざし台５に戴置した携帯端末の画面の位置を確認し、位置を合わせることで２次元コードを読み取ることができるものとしても良い。
【００２０】
Ｓ１０６：ＣＲ２は、携帯端末の画面に表示させた２次元コードを読み取る。
Ｓ１０７：主制御部４は、図５に示すような支払い案内の画面を操作表示部１０に表示させる。顧客により支払いの操作が行われると、主制御部４は処理をＳ１０８に移行する。
Ｓ１０８：主制御部４は、顧客による支払いの操作に基づいて非接触ＩＣを利用した支払いか否かを判定し、非接触ＩＣを利用した支払い（図５において携帯端末を選択）であると判定すると処理をＳ１１０に移行し、非接触ＩＣを利用しない支払い（図５において現金、または、口座引き落としを選択）であると判定すると処理をＳ１０９に移行する。
【００２１】
Ｓ１０９：非接触ＩＣを利用しない支払いであると判定した主制御部４は、現金または口座引き落としの支払いを実行し、本処理を終了する。
Ｓ１１０：非接触ＩＣを利用した支払いであると判定した主制御部４は、図６に示すような画面を操作表示部１０に表示させ、かざし台５に携帯端末を戴置したままで良いことを顧客へ案内する。
Ｓ１１１：主制御部４は、非接触ＩＣユニット３に携帯端末に搭載された非接触ＩＣとの通信を指示し、支払い処理を実行して本処理を終了する。
【００２２】
以上説明したように、第１の実施例では、非接触ＩＣを搭載し、かつ、２次元コードを表示する画面を有する携帯端末を用いて取引を行う際に、携帯端末が戴置されるかざし台を、非接触ＩＣと非接触ＩＣユニットとが通信し、かつ、２次元コードをＣＲが読み取るものとしたことにより、通信する位置および読み取る位置にそれぞれ携帯端末を移動させる手間を省くことができるため、操作性を向上させ、取引時間を短縮させることができるという効果が得られる。
【実施例２】
【００２３】
第１の実施例から引き続き別の取引を行う際に、携帯端末がかざし台に戴置されたままの状態で取引が進行するときがある。本発明の媒体通信システムでは、かざし台が紙幣入出金部および硬貨入出金部の近傍に配置されているため、例えば出金のために紙幣入出金部のシャッタが開くことで携帯端末がかざし台から紙幣入出金部に落下する可能性がある。携帯端末が落下した場合、携帯端末を紙幣入出金部から拾い上げるという作業が発生し、取引時間が長くなるという問題がある。
【００２４】
また、操作表示部は、かざし台および操作表示部が面する傾斜面において、かざし台より下方に配置されているため、顧客が操作表示部を操作しているとき、または、表示を確認しているときにかざし台から操作表示部上に携帯端末が滑り落ちる可能性がある。携帯端末が滑り落ちた場合、顧客の操作または表示確認の妨げとなり、携帯端末を再度かざし台に戴置するという作業が発生し、取引時間が長くなるという問題がある。
【００２５】
第２の実施例から第６の実施例では、このような問題を解決することを課題とし、非接触ＩＣを搭載する携帯端末やカードがかざし台から落下することを防ぐことで、操作性を向上させ、取引時間を短縮させることを目的とする。
第２の実施例における自動取引装置の外観図は、後述のガイド１３以外は第１の実施例の図２と同様であるため、同一の符号を付してその説明は省略する。
【００２６】
図７は、第２の実施例におけるかざし台のガイドの形状の説明図であり、自動取引装置の外観図におけるかざし台の近傍を示したものである。
図８は、第２の実施例における自動取引装置の媒体通信システムのブロック図である。
図７および図８において、後述のガイド１３以外は第１の実施例の図２および図１と同様であるため、同一の符号を付してその説明は省略する。
【００２７】
紙幣入出金部側媒体落下防止部としてのガイド１３は、かざし台５における紙幣入出金部６側の端部に移動可能に配設され、紙幣入出金部６のシャッタが開くときは突き出し、シャッタが開いている間は突き出たままの状態（図７に示す状態）となり、シャッタが閉じているときは自動取引装置１の内部に納まる状態（図２に示す状態）となる。また、ガイド１３は、主制御部４と接続されており、主制御部４により制御される。
なお、本実施例における顧客情報記録媒体は、携帯端末または非接触ＩＣを搭載したカードとする。
【００２８】
上述した構成の作用について説明する。
自動取引装置１が行う取引処理を図９の第２の実施例における自動取引装置の取引処理の流れを示すフローチャートの図中Ｓで示すステップにしたがって図７および図８を参照しながら説明する。
Ｓ２０１：主制御部４は、取引を行う際の初期画面を操作表示部１０に表示して待機する。顧客により取引の種類が選択されると、主制御部４は処理をＳ２０２に移行する。なお、ガイド１３は、この段階では図２に示すように自動取引装置１の内部に納まっている状態である。
【００２９】
Ｓ２０２：主制御部４は、Ｓ２０１で選択された取引の種類の情報に基づいて非接触ＩＣにチャージする取引か否かを判定し、非接触ＩＣにチャージする取引であると判定すると処理をＳ２０４に移行し、非接触ＩＣにチャージしない取引であると判定すると処理をＳ２０３に移行する。
Ｓ２０３：非接触ＩＣにチャージしない取引であると判定した主制御部４は、非接触ＩＣにチャージしない取引を実行し、本処理を終了する。
【００３０】
Ｓ２０４：主制御部４は、Ｓ２０１で選択された取引の種類の情報に基づいて現金を利用した取引か否かを判定し、現金を利用した取引であると判定すると処理をＳ２０６に移行し、現金を利用しない取引であると判定すると処理をＳ２０５に移行する。
Ｓ２０５：現金を利用しない取引であると判定した主制御部４は、顧客の口座より引き落としでチャージを実行し、本処理を終了する。
Ｓ２０６：現金を利用した取引であると判定した主制御部４は、ガイド１３を突き出させる。
【００３１】
Ｓ２０７：主制御部４は、図１０に示すような画面を操作表示部１０に表示させ、顧客へ非接触ＩＣを搭載したカードまたは携帯端末をかざし台５に戴置するように案内をする。
Ｓ２０８：主制御部４は、紙幣入出金部６へシャッタを開ける（オープンする）ように指示をする。
Ｓ２０９：主制御部４は、顧客に紙幣投入を促すように案内をして待機する。紙幣入出金部６へ顧客により紙幣が投入されると、主制御部４は処理をＳ２１０に移行する。
【００３２】
Ｓ２１０：顧客による紙幣投入を図示しないセンサ等で感知すると、主制御部４は、紙幣入出金部６へシャッタを閉める（クローズする）ように指示をする。
Ｓ２１１：主制御部４は、紙幣入出金部６に投入された紙幣を計数し、計数した紙幣の金額に基づいてカードまたは携帯端末が搭載する非接触ＩＣにチャージを実行するように非接触ＩＣユニット３へ指示をする。
Ｓ２１２：主制御部４は、図１１に示すような画面を操作表示部１０に表示させ、かざし台５に戴置したカードまたは携帯端末の受け取りを顧客に案内する。
【００３３】
Ｓ２１３：図１１に示す操作表示部１０に表示させた「受け取り確認」のボタンが、カードまたは携帯端末を受け取った顧客により押下されると、主制御部４は処理をＳ２１４に移行する。
なお、この「受け取り確認」のボタンが一定時間押下されないときは、主制御部４は、音声での案内、またはアラームを出力するようにしてもよい。
Ｓ２１４：主制御部４は、ガイド１３へ自動取引装置１の内部に納まるように指示し、本処理を終了する。
【００３４】
以上説明したように、第２の実施例では、第１の実施例に加えて、携帯端末が戴置されたかざし台が紙幣入出金部の近傍に存在し、紙幣入出金部のシャッタが開くときに、かざし台の紙幣入出金部側のガイドが突き出るため、かざし台に戴置した媒体が紙幣入出金部へ落下することを防止できるという効果が得られる。
【実施例３】
【００３５】
図１２は、第３の実施例におけるかざし台のガイドの形状の説明図である。
図１３は、第３の実施例における自動取引装置の媒体通信システムのブロック図である。
図１２および図１３において、後述のガイド１４以外は第２の実施例の図７および図８と同様であるため、同一の符号を付してその説明は省略する。
【００３６】
図１２において、第２の実施例のガイド１３に加えて、操作表示部側媒体落下防止部としてのガイド１４がかざし台５における操作表示部１０側の端部に配設されている。ガイド１４は、ガイド１３と連動し、紙幣入出金部６のシャッタが開くときは突き出し、シャッタが開いている間は突き出たままの状態（図１２に示す状態）となり、シャッタが閉じているときは自動取引装置１の内部に納まる状態（図２に示す状態）となる。また、図１３において、ガイド１４は、主制御部４と接続されており、主制御部４により制御される。
なお、本実施例における顧客情報記録媒体は、携帯端末または非接触ＩＣを搭載したカードとする。
【００３７】
上述した構成の作用について説明する。
自動取引装置１が行う取引処理を図９の第２の実施例における自動取引装置の取引処理の流れを示すフローチャートの図中Ｓで示すステップにしたがって、第２の実施例と異なる点を挙げて図１２を参照しながら説明する。
Ｓ２０１〜Ｓ２０５：図９と同様の処理であるため説明を省略する。
【００３８】
Ｓ２０６：第２の実施例における説明中で「ガイド１３」とあるのは、「ガイド１３およびガイド１４」と読み替えるものとする。
Ｓ２０７〜Ｓ２１３：図９と同様の処理であるため説明を省略する。
Ｓ２１４：第２の実施例における説明中で「ガイド１３」とあるのは、「ガイド１３およびガイド１４」と読み替えるものとする。
【００３９】
以上説明したように、第３の実施例では、第２の実施例の効果に加えて、紙幣入出金部のシャッタが開くときに、かざし台の紙幣入出金部側のガイドと連動して操作表示部側のガイドが突き出るため、かざし台に戴置した媒体が操作表示部へ滑り落ちることを防止できるという効果が得られる。
【実施例４】
【００４０】
図１４は、第４の実施例におけるかざし台のガイドの形状の説明図である。
図１５は、第４の実施例における自動取引装置の媒体通信システムのブロック図である。
図１４および図１５において、後述のガイド１５以外は第３の実施例の図１２および図１３と同様であるため、同一の符号を付してその説明は省略する。
【００４１】
図１４の説明に戻り、第２の実施例のガイド１３および第３の実施例のガイド１４に加えて、硬貨入出金部側媒体落下防止部としてのガイド１５がかざし台５における硬貨入出金部９側の端部に配設されている。ガイド１５は、ガイド１３およびガイド１４と連動し、紙幣入出金部６のシャッタが開くときは突き出し、シャッタが開いている間は突き出たままの状態（図１４に示す状態）となり、シャッタが閉じているときは自動取引装置１の内部に納まる状態（図２に示す状態）となる。また、図１５において、ガイド１５は、主制御部４と接続されており、主制御部４により制御される。
なお、本実施例における顧客情報記録媒体は、第１の実施例における携帯端末または非接触ＩＣを搭載したカードとする。
【００４２】
上述した構成の作用について説明する。
自動取引装置１が行う取引処理を図９の第２の実施例における自動取引装置の取引処理の流れを示すフローチャートの図中Ｓで示すステップにしたがって、第２の実施例と異なる点を挙げ、図１４を参照しながら説明する。
Ｓ２０１〜Ｓ２０５：図９と同様の処理であるため説明を省略する。
Ｓ２０６：第２の実施例における説明中で「ガイド１３」とあるのは、「ガイド１３、ガイド１４およびガイド１５」と読み替えるものとする。
【００４３】
Ｓ２０７〜Ｓ２１３：図９と同様の処理であるため説明を省略する。
Ｓ２１４：第２の実施例における説明中で「ガイド１３」とあるのは、「ガイド１３、ガイド１４およびガイド１５」と読み替えるものとする。
以上説明したように、第４の実施例では、第３の実施例の効果に加えて、紙幣入出金部のシャッタが開く場合に、かざし台の紙幣入出金部側のガイドおよび操作表示部側のガイドと連動して硬貨入出金部側のガイドを突き出させるため、かざし台に戴置した媒体が硬貨入出金部へ落下することを防止できるという効果が得られる。
【００４４】
なお、本実施例においては、ガイド１３、ガイド１４およびガイド１５は連動していると説明したが、それに限られることなく、各ガイドを個別に動作するようにしても良い。例えば、硬貨入出金部９のシャッタだけが開くときはガイド１５だけ動作させ、また、操作表示部１０に新たに案内の表示がされたときはガイド１４だけを動作させても良い。
また、各ガイドを組み合わせて動作させても良く、例えば、ガイド１３、ガイド１４およびガイド１５は、紙幣入出金部６のシャッタ、もしくは、硬貨入出金部９のシャッタのうち、少なくともどちらか一方が開くときは突き出し、シャッタが開いている間は突き出たままの状態（図１４に示す状態）となり、両方のシャッタがどちらも閉じているときは自動取引装置１の内部に納まる状態（図２に示す状態）としても良い。
【実施例５】
【００４５】
第５の実施例における自動取引装置の媒体通信システムのブロック図は、かざし台５以外は第１の実施例の図１と同様であるため、同一の符号を付してその説明は省略する。
図１６は、第５の実施例における自動取引装置の外観図であり、図２に示すかざし台５をかざし台１７と置き換えたものである。
図１７は、第５の実施例におけるかざし台近傍の外観図であり、かざし台１７が回動し、かざし台１７の戴置面が水平となった際の図である。
【００４６】
図１８は、第５の実施例におけるかざし台近傍の断面図である。
図１８において、かざし台１７は、凸部１７ａを軸として回動可能であり、図示せぬ駆動部により図中矢印Ｂに示す方向に回動することで、かざし台１７の戴置面を傾斜面１２と平行にある状態から水平にすることができるものである。
上述した構成の作用について説明する。
自動取引装置１が行う支払い処理を図１９の第６の実施例における自動取引装置の支払い処理の流れを示すフローチャートの図中Ｓで示すステップにしたがって図１８を参照しながら説明する。
【００４７】
Ｓ３０１〜Ｓ３０３：図３におけるＳ１０１〜Ｓ１０３と同様の処理であるため説明を省略する。また、Ｓ１０１〜Ｓ１０３の各ステップの説明中に「かざし台５」とあるのは、「かざし台１７」と読み替えるものとする。
Ｓ３０４：かざし台１７は、図１８に示すように図中矢印Ｂに示す方向に回動し、かざし台１７の戴置面が水平になる。
【００４８】
Ｓ３０５〜Ｓ３１２：図３におけるＳ１０４〜Ｓ１１１と同様の処理であるため説明を省略する。また、Ｓ１０４〜Ｓ１１１の各ステップの説明中に「かざし台５」とあるのは、「かざし台１７」と読み替えるものとする。
Ｓ３１３：かざし台１７の戴置面は、水平から図中矢印Ｂに示す方向と逆に回動し、傾斜面１２と平行となる。
【００４９】
以上説明したように、第５の実施例では、第１の実施例に加えて、かざし台に媒体を戴置する際に、かざし台が回動して水平になるため、かざし台に戴置した媒体が落下することを防止できるという効果が得られる。
また、かざし台が回動して戴置面が水平になることで、かざし台が傾斜面１２に平行であるより、ＣＲ２は、携帯端末の画面に表示された２次元コードに照射したレーザ等の反射光を受光しやすくなるため、２次元コードを読み取りやすくすることができるという効果が得られる。
【実施例６】
【００５０】
第６の実施例における自動取引装置の媒体通信システムのブロック図および自動取引装置の外観図は、かざし台５以外は第１の実施例の図１、図２と同様であるため、同一の符号を付してその説明は省略する。
図２０は、第６の実施例におけるかざし台近傍の外観図であり、図１６に示すかざし台１７をかざし台１８と置き換えたもので、かざし台１８の中央部の戴置面が落ち窪み、水平になった際の図である。
図２０において、かざし台１８は、図示せぬ駆動部により戴置面の中央部が落ち窪み、落ち窪んだ戴置面が水平となり、その戴置面に携帯端末を戴置することができるものである。
【００５１】
上述した構成の作用について説明する。
自動取引装置１が行う支払い処理を図１９の第５の実施例における自動取引装置の支払い処理の流れを示すフローチャートの図中Ｓで示すステップにしたがって、第５の実施例と異なる点を挙げ、図２０を参照しながら説明する。
【００５２】
Ｓ３０１〜Ｓ３０３：図１９と同様の処理であるため説明を省略する。
Ｓ３０４：かざし台１８は、中央部の面が落ち窪み、落ち窪んだ中央部が水平となる。
Ｓ３０５〜Ｓ３１２：図１９と同様の処理であるため説明を省略する。
Ｓ３１３：かざし台１８は、戴置面の中央部が落ち窪んだ状態から、中央部がＳ３０３以前の状態に戻る。
【００５３】
以上説明したように、第５の実施例では、第１の実施例に加えて、かざし台に媒体を戴置する際に、かざし台の中央部が落ち窪み、落ち窪んだ中央部が水平となるため、中央部に戴置した携帯端末が落下することを防止できるという効果が得られる。
また、かざし台の戴置面が落ち窪んで水平になることからかざし台が傾斜面１２に平行であるより、ＣＲ２は、携帯端末の画面に表示された２次元コードに照射したレーザ等の反射光を受光しやすくなるため、２次元コードを読み取りやすくすることができるという効果が得られる。
【実施例７】
【００５４】
第７の実施例では、第１の実施例から第６の実施例のいずれかの実施例において示された媒体通信システムの構成に加えて、紙幣入出金部の近傍にセンサを配置し、紙幣入出金部に異物が取り込まれることを防止できることを目的とする。以下は、第１の実施例の媒体通信システムを例として説明する。
第７の実施例における自動取引装置の外観図は、第１の実施例の図２と同様であるため、その説明は省略する。
【００５５】
図２１は、第７の実施例における自動取引装置の媒体通信システムのブロック図であり、図１に示したブロック図にセンサ１６を追加したものである。なお、上述した第１の実施例と同様の部分は、同一の符号を付してその説明を省略する。
図２１において、センサ１６は、紙幣入出金部６の近傍に配置されており、金属を探知するセンサである。
【００５６】
図２２は、第７の実施例における紙幣入出金部の断面図であり、紙幣入出金部６のシャッタ１９が開いた状態で異物２１が紙幣入出金部６に落下した状態を、顧客が操作する側の側面から見た紙幣入出金部の断面である。なお、本実施例では異物２１を携帯端末とする。
図２２において、センサ１６は、紙幣入出金部６の近傍である下方に配置されており、金属を探知するものである。
紙幣２０は、顧客が取引処理のために紙幣入出金部６に投入したものである。
【００５７】
図２３は、第７の実施例における紙幣入出金部の透過図である。
図２３において、センサ１６は、紙幣入出金部６下部の幅方向に複数配置されており、例えば硬貨のような異物を検知可能となっている。
上述した構成の作用について説明する。
自動取引装置１が行う取引処理を図２４の第７の実施例における自動取引装置の取引処理の流れを示すフローチャートの図中Ｓで示すステップにしたがって図１および図２を参照しながら説明する。
【００５８】
Ｓ４０１：主制御部４は、取引を行う際の初期画面を操作表示部１０に表示させ、顧客により取引の種類が選択される。
Ｓ４０２：主制御部４は、選択された取引の種類の情報に基づいて、非接触ＩＣを利用した取引か否かを判定し、非接触ＩＣを利用した取引であると判定すると処理をＳ４０４に移行し、非接触ＩＣを利用しない取引であると判定すると処理をＳ４０３に移行する。
【００５９】
Ｓ４０３：非接触ＩＣを利用しない取引であると判定した主制御部４は、非接触ＩＣを利用しない取引を実行し、本処理を終了する。
Ｓ４０４：顧客により非接触ＩＣにチャージする選択がなされる。
Ｓ４０５：主制御部４は、図１０に示すような画面を操作表示部１０に表示させ、顧客へ非接触ＩＣを搭載したカードまたは携帯端末をかざし台５に戴置するように案内をする。
【００６０】
Ｓ４０６：顧客により現金が紙幣入出金部６へ投入される。
Ｓ４０７：主制御部４は、センサ１６により紙幣入出金部６に異物が存在するか否か判定を行い、異物が存在すると判定すると処理をＳ４０８に移行し、異物が存在しないと判定すると処理をＳ４０９に移行する。
Ｓ４０８：異物が存在すると判定した主制御部４は、図２５に示すような画面を操作表示部１０に表示させ、顧客へ紙幣入出金部６から異物を除去するように案内し、処理をＳ４０７に戻す。
【００６１】
Ｓ４０９：主制御部４は、紙幣入出金部６に投入された現金を計数する。
Ｓ４１０：主制御部４は、Ｓ４０９の処理で計数した現金に基づいて、カードまたは携帯端末が搭載する非接触ＩＣにチャージを実行するように非接触ＩＣユニット３へ指示をする。
Ｓ４１１：主制御部４は、図１１に示すような画面を操作表示部１０に表示させ、かざし台５に戴置したカードまたは携帯端末の受け取りを顧客に案内し、本処理を終了する。
【００６２】
以上説明したように、第７の実施例では、第１の実施例から第６の実施例のいずれかの実施例における効果に加えて、紙幣入出金部の近傍にセンサを配置し、異物を監視するようにしたため、紙幣入出金部に異物が取り込まれることを防止できるという効果が得られる。
なお、取引情報として２次元コードを例として説明したが、それに限られることなく、バーコード等としても良い。
また、自動取引装置としてＡＴＭを例に説明したが、それに限られることなく、同じく無人取引装置であって他の機能、例えばチケット予約機能、商品購入申し込み機能、クレジットカードの与信確認機能、施設情報案内機能等を有する多機能端末としても良い。
【符号の説明】
【００６３】
１    自動取引装置
２    ＣＲ
３    非接触ＩＣユニット
４    主制御部
５、１７、１８  かざし台
１７ａ  凸部
６    紙幣入出金部
７    カード取扱部
８    通帳取扱部
９    硬貨入出金部
１０  操作表示部
１１  返却口
１２  傾斜面
１３、１４、１５  ガイド
１６  センサ
１９  シャッタ
２０  紙幣
２１  異物
【図１】
2014194627.tif 000003
【図２】
2014194627.tif 000004
【図３】
2014194627.tif 000005
【図４】
2014194627.tif 000006
【図５】
2014194627.tif 000007
【図６】
2014194627.tif 000008
【図７】
2014194627.tif 000009
【図８】
2014194627.tif 000010
【図９】
2014194627.tif 000011
【図１０】
2014194627.tif 000012
【図１１】
2014194627.tif 000013
【図１２】
2014194627.tif 000014
【図１３】
2014194627.tif 000015
【図１４】
2014194627.tif 000016
【図１５】
2014194627.tif 000017
【図１６】
2014194627.tif 000018
【図１７】
2014194627.tif 000019
【図１８】
2014194627.tif 000020
【図１９】
2014194627.tif 000021
【図２０】
2014194627.tif 000022
【図２１】
2014194627.tif 000023
【図２２】
2014194627.tif 000024
【図２３】
2014194627.tif 000025
【図２４】
2014194627.tif 000026
【図２５】
2014194627.tif 000027